(57)【要約】      （修正有）【課題】所望な量の還元水素水や還元酸素水等の還元水を簡単に製造することのできる還元水製造装置を提供する。【解決手段】還元水製造装置１０は、水に対して磁場振動を与える磁場振動発生手段１２と、水を電気分解する電気分解手段１３と、磁場振動発生手段１２により磁場振動を与えられた水に電気分解手段１３で発生した気体を溶解させる気体溶解手段１４とを備えていることを特徴とする。【選択図】図１
2009262062.tif 000002
【特許請求の範囲】
【請求項１】
水に対して磁場振動を与える磁場振動発生手段と、
水を電気分解する電気分解手段と、
前記磁場振動発生手段により磁場振動を与えられた水に前記電気分解手段で発生した気体を溶解させる気体溶解手段と、
を備えていることを特徴とする還元水製造装置。
【請求項２】
前記電気分解手段は２個１組の電極を２組備えており、いずれか一方の組の電極で発生した気体を外部に放出する気体放出手段を備えている請求項１に記載の還元水製造装置。
【請求項３】
前記各組の電極間には通電コイルが設けられ、該通電コイルは前記各組の電極の近接位置に該各組の電極に非接触状態で設けられている請求項２に記載の還元水製造装置。
【請求項４】
前記気体溶解手段は、２個の円錐状容器がお互いの頂部で連通するように上下逆向きに連結されて形成される容器本体と前記一方の円錐状容器の底面部分の接線方向に接続される導入管とから構成される攪拌枡と、該攪拌枡内に前記導入管を介して水を圧送する攪拌用ポンプとを備えている請求項１又は２に記載の還元水製造装置。
【発明の詳細な説明】
【技術分野】
【０００１】
本発明は、還元水素水や還元酸素水等の還元水を製造するための還元水製造装置に関する。
【背景技術】
【０００２】
従来、還元水素水や還元酸素水等の還元水を製造する還元水製造装置としては、例えば、水の電気分解の性質を利用するものが知られており、この装置によれば、消毒や洗浄水に使用する酸化酸性水と、飲用に使用するアルカリ還元水とが同量生成される（例えば、特許文献１参照）。
【特許文献１】特開２００１−１１３２７６号公報
【発明の開示】
【発明が解決しようとする課題】
【０００３】
しかしながら、上記した従来の還元水製造装置では、電気分解により酸化酸性水とアルカリ還元水とを生成した後、急激に水質変化が起こり、短時間に電気分解前の通常の水の状態に戻ってしまうといった問題があった。
【０００４】
本発明は、上記した課題を解決すべく成されたものであり、所望な量の還元水素水や還元酸素水等の還元水を簡単に製造することのできる還元水製造装置を提供することを目的とするものである。
【課題を解決するための手段】
【０００５】
本発明に係る還元水製造装置は、水に対して磁場振動を与える磁場振動発生手段と、
水を電気分解する電気分解手段と、前記磁場振動発生手段により磁場振動を与えられた水に前記電気分解手段で発生した気体を溶解させる気体溶解手段とを備えていることを特徴とする。
【０００６】
そして、前記電気分解手段は２個１組の電極を２組備えており、いずれか一方の組の電極で発生した気体を外部に放出する気体放出手段を備えているのが好ましい。
【０００７】
また、前記各組の電極間には通電コイルが設けられ、該通電コイルは前記各組の電極の近接位置に該各組の電極に非接触状態で設けられているのがよい。
【０００８】
さらに、前記気体溶解手段は、２個の円錐状容器がお互いの頂部で連通するように上下逆向きに連結されて形成される容器本体と前記一方の円錐状容器の底面部分の接線方向に接続される導入管とから構成される攪拌枡と、該攪拌枡内に前記導入管を介して水を圧送する攪拌用ポンプとを備えていてもよい。
【発明の効果】
【０００９】
本発明によれば、所望な量の還元水素水や還元酸素水等の還元水を簡単に製造することができる。
【発明を実施するための最良の形態】
【００１０】
以下、図面を参照しつつ、本発明の実施の形態について説明する。
【００１１】
図１は本発明の実施の形態に係る還元水製造装置の概略構成を示す模式図であり、この還元水製造装置１０は、水を貯留する箱状のタンク１１を備え、このタンク１１内には、水に対して磁場振動を与える磁場振動発生手段１２と、水を電気分解する電気分解手段１３と、磁場振動発生手段１２により磁場振動を与えられた水に電気分解手段１３で発生した気体を溶解させる気体溶解手段１４と、電気分解手段で発生した気体の一部を外部に放出する気体放出手段１５とが設けられている。
【００１２】
磁場振動発生手段１２は、対向する２個１組の磁石１６ａ，１６ｂ、１７ａ，１７ｂを２組備えており、一方の組の磁石１６ａ，１６ｂは気体溶解手段１４の上流側に設けられ、他方の組の磁石１７ａ，１７ｂは気体放出手段１５に設けられている。そして、磁場振動発生手段１２は、直流電源（好ましくは、４８Ｖ前後）を使用して直流電源中に±３Ｖ前後のＡＣ（Alternating Current；交流）波動を混入させることにより各組の磁石１６ａ，１６ｂ、１７ａ，１７ｂ間に振動磁場を発生させるようになっている。
【００１３】
電気分解手段１３は、２個１組の電極１８ａ，１８ｂ、１９ａ，１９ｂを２組備えており、一方の組の電極１８ａ，１８ｂは一方の組の磁石１６ａ，１６ｂの間に設けられ、他方の組の電極１９ａ，１９ｂは他方の組の磁石１７ａ，１７ｂの間に設けられている。そして、各組の電極１８ａ，１８ｂ、１９ａ，１９ｂ間には通電コイル２０が設けられており、この通電コイル２０は各組の電極１８ａ，１８ｂ、１９ａ，１９ｂの近接位置に各組の電極１８ａ，１８ｂ、１９ａ，１９ｂに非接触状態で設けられている。
【００１４】
気体溶解手段１４は、攪拌枡２１と、攪拌枡２１内に水を圧送する攪拌用ポンプ２２とを備えて構成されている。図２及び図３に示されているように、攪拌枡２１は、上下２個の円錐状容器２３，２４がお互いの頂部で連通するように上下逆向きに連結されて形成される容器本体２５と、下方の円錐状容器２４の底面部分の接線方向に接続される導入管２６とから構成されており、上方の円錐状容器２３と下方の円錐状容器２４との間には小孔２７が形成されている。また、攪拌用ポンプ２２は、この小孔２７に水流が達する時の遠心力としての回転数が３００００ｒｐｍ以上になる能力と、０．１５ｍＰａ×２０リットル／ｍｉｎ以上の能力を備えているのが好ましい。
【００１５】
気体放出手段１５は、タンク１１の上面に固定され、下面がタンク１１内に開放された縦長筒状の放出気体収容部２８を備えており、この放出気体収容部２８の下部には他方の組の磁石１７ａ，１７ｂが他方の組の電極１９ａ，１９ｂと共に設けられている。また、放出気体収容部２８の上部には放出気体検出センサ２９が設けられ、タンク１１の上面のこの放出気体検出センサ２９の近傍位置には気体放出バルブ３０が取り付けられている。
【００１６】
また、タンク１１の上面には、タンク１１内の気体を外部に放出するためのエア抜きバルブ３１と、タンク１１内の圧力が設定値以上となった時に開放される安全弁３２が設けられている。さらに、タンク１１の側面下部には、タンク１１内に水を供給する際に開放される給水バルブ３３が設けられ、タンク１１の側面上部には、所定の処理を行って得られた還元水を取り出すための還元水バルブ３４が設けられている。
【００１７】
次に、本発明の実施の形態に係る還元水製造装置１０の動作について説明する。なお、以下の説明では、還元水素水を製造する時の還元水製造装置１０の動作について説明する。
【００１８】
開放された給水バルブ３３を介してタンク１１内に供給された水は、攪拌用ポンプ２２により圧送され、磁場振動発生手段１２に送出される。磁場振動発生手段１２では、例えば、７２０Ｈｚ、７８０Ｈｚ、８９０Ｈｚ、９５０Ｈｚ、１０００Ｈｚのいずれかの周波数のＡＣ波動が混入され、対向する一方の組の磁石１６ａ，１６ｂの間に磁場振動が発生されると共に、一方の組の電極１８ａ，１８ｂがマイナスに帯電され、水が電気分解されて水素が生成される。
【００１９】
その後、攪拌用ポンプ２２によって圧送された水は、磁場振動発生手段１２で生成された水素と共に、導入管２６を通って攪拌枡２１に送出される。攪拌枡２１において、この水は、下方の円錐状容器２４内を上昇するに従って徐々に加圧された後、小孔２７から上方の円錐状容器２３内に送出され、急激に減圧される。この時、水は下の安定した分子結合（クラスター）を形成しようとし、水素を取り込んで安定したクラスター構造となる。これにより、タンク１１内に還元水素水が生成され、還元水バルブ３４を開放することにより、還元水素水を取り出すことができる。
【００２０】
これに対して、気体放出手段１５側の磁場振動発生手段１２では、例えば、５９０Ｈｚ、７６０Ｈｚ、８６０Ｈｚ、９１０Ｈｚのいずれかの周波数のＡＣ波動が混入され、対向する他方の組の磁石１７ａ，１７ｂの間に磁場振動が発生されると共に、他方の組の電極１９ａ，１９ｂがプラスに帯電され、水が電気分解されて酸素が生成される。この時、各組の電極１８ａ，１８ｂ、１９ａ，１９ｂ間には通電コイル２０が近接して設けられているため、電気分解が促進される。そして、放出気体センサ２９がこの酸素を検出すると、気体放出バルブ３０が開放され、酸素は外部に放出される。
【００２１】
なお、上記説明では、還元水素水を製造する時の還元水製造装置１０の動作について説明したが、各組の電極１８ａ，１８ｂ、１９ａ，１９ｂの帯電の設定（プラス又はマイナス）を任意に変更することにより、還元酸素水等、他の還元水を製造することも可能である。
【００２２】
このように上記した本発明の実施の形態に係る還元水製造装置１０によれば、特定の周波数を利用して水に磁場振動を与えることにより、水を酸化方向にも還元方向にも変化させることができる。また、水に磁場振動を与えることにより、水の分子結合を結合クラスターの変化で希薄にも強固にもすることができるため、水分中に気体や油分等の目的の物質を溶け込ませることが可能となり、マイクロバブル化を促進させることができる。
【００２３】
また、蒸留水や精製水等は含有物質が少ないため通電し難いとされているが、電気の通過効率の向上のために、電極面に水の分子を高速で当てることにより通電（電気分解）効率を上昇させることができる。
【００２４】
さらに、水は小孔２７を通過して上方の円錐状容器２３に送出された時に下の安定したクラスターに成ろうとする結果、混入させたい電気分解した気体（酸素・水素）の一方又は両方の気体を活性状態で含んだ水を簡単に生成することができる。
【００２５】
また、従来の電気分解では、プラス電極又はマイナス電極のどちらかの電極近傍の水を抽出しているため、水は酸性かアルカリ性になるが、上記した本発明の実施の形態による電気分解では、電気分解を純粋な気体（酸素・水素）の発生のために使用しているため、ｐＨ（potential Hydrogen又はpower of Hydrogenの略）が変動することはない。
【００２６】
また、本発明の実施の形態に係る還元水製造装置１０では、水分を含んでいれば、すべての物を処理することが可能となるため、医療用として生理食塩水を還元処理したり、飲用としてジュース等を還元処理したりすることもできる。
【００２７】
さらに、本発明の実施の形態に係る還元水製造装置１０は、以下のように各種用途にも利用することができる。
（１）医療分野
水素と酸素で体液のｐＨ調整を行うことによりマイクロバブル化するため、体内に注入後、癌病巣に超音波をあてることで、マイクロバブルが発熱し、ガン治療にも有効であると考えられる。また、還元水素水は体内に混入後、活性酸素と結合し水になるため、これを利用することにより体内の炎症や各臓器の不全状態を改善することが可能となる。
（２）環境分野
水素と酸素を最適配合された処理水と重油（A・B）や軽油・灯油・ガソリン等の化石燃料とを攪拌（エマルジョン化）することによって、通常では混合しない性質のものが混合し、乳化状態（エマルジョン）になるため、燃焼カロリーを変えず、燃料の消費比率を大幅に下げ、混入されている水素や酸素の作用で排出ガスの大気汚染を軽減させることもできる。
【００２８】
なお、このように処理水と化石燃料を混合してエマルジョン水として使用する場合、長期保存による分離を防止するため、使用直前まで攪拌処理を行うのが望ましい。
（３）生活分野
大規模住宅群に設置されている受水槽に設置することにより、水素を多く含んだ還元水素水を常に作り出すことができ、受水槽内部のバクテリアの発生や供給水道管の酸化による腐食を防止することができる。
【００２９】
また、個別住宅の蛇口に取り付けることにより、中性の還元水を何時でも飲用として供給することができると共に、汚れ落としや殺菌に効果のある電位が低く酸素を多く含んだ活性酸素水を供給することができる。
（４）その他
水分中に大量の電子（ｅ−）が含有（−１００〜−５００ｍＶ前後）されているため、通常の酸化水（＋５５０ｍＶ前後）と共に通電隔壁に入れることにより、一対で０．６Ｖ〜１Ｖ前後の能力を有する水電池を製造することが可能となる。
【図面の簡単な説明】
【００３０】
【図１】本発明の実施の形態に係る還元水製造装置の概略構成を示す模式図である。
【図２】本発明の実施の形態に係る還元水製造装置の攪拌枡を示す断面図である。
【図３】本発明の実施の形態に係る還元水製造装置の攪拌枡を示す断面図である。
【符号の説明】
【００３１】
１０          還元水製造装置
１２              磁場振動発生手段
１３              電気分解手段
１４              気体溶解手段
１８ａ，１８ｂ    一方の電極
１９ａ，１９ｂ    他方の電極
２０              通電コイル
２１              攪拌枡
２２              攪拌用ポンプ
２３              上方の円錐状容器
２４              下方の円錐状容器
２６              導入管
【図１】
2009262062.tif 000003
【図２】
2009262062.tif 000004
【図３】
2009262062.tif 000005